(57)【要約】【課題】省エネに優れ、高効率で化粧に適した照明を得ることができる携帯型斜め照明装置を提供する。【解決手段】携帯型斜め照明装置Ｕは、指向性のある面発光照明により、机上に上向きに照明を置いても眩しくない。その為、化粧時に顔ＵＦと対向するように鏡ＭＲを持った場合でも、斜め下側から照明される為、鏡ＭＲが照明の邪魔にならず、また顔ＵＦに影が出来ず、顔ＵＦ全体を照明することができる。【選択図】図１
2014120378.tif 000002
【特許請求の範囲】
【請求項１】
演色性Ｒａ８０以上の発光点を複数個有する光源と、
前記光源から出射された光を入射する入射面と、入射した光を出射する第１主面と、前記第１主面に対向し略平行に配置する第２主面と、前記第１主面又は前記第２主面に設けられた光路偏向手段を備えた導光板と、
前記光源と前記導光板とを収容する筐体と、
電池からの電流を前記光源に供給する駆動回路と、を有する携帯型斜め照明装置であって、
前記光源からの光は、前記入射面面から入射した後、前記第１主面と前記第２主面との間を導光し、前記光路偏向手段を介することで、前記第１主面より出射するようになっており、前記第１主面の法線と前記出射光の最大輝度ピーク方向のなす角θmaxが、１５°＜θmax＜６０°を満たすことを特徴とする携帯型斜め照明装置。
【請求項２】
前記携帯型斜め照明装置は、人物の顔を所定の照度分布で照明可能となっていることを特徴とする請求項１に記載の携帯型斜め照明装置。
【請求項３】
前記導光板は長方形状であることを特徴とする請求項１又は２に記載の携帯型斜め照明装置。
【請求項４】
前記光源は、前記導光板の長辺側に設置されており、前記第１主面から出射する出射光の最大輝度ピーク方向は、前記第１主面の法線に対して短辺の延在する方向に傾いていることを特徴とする請求項３に記載の携帯型斜め照明装置。
【請求項５】
前記筐体は、折りたたみ可能な脚部を有することを特徴とする請求項１〜４のいずれかに記載の携帯型斜め照明装置。
【請求項６】
前記筐体に連結した鏡を有することを特徴とする請求項１〜５のいずれかに記載の携帯型斜め照明装置。
【請求項７】
前記光源の色温度を調整可能となっており、色温度を調整された光が前記光源から発光されることを特徴とする請求項１〜６のいずれかに記載の携帯型斜め照明装置。
【請求項８】
前記導光板は屈折率が1.4より大きい媒質の素材から形成され、前記光路偏向手段は、前記導光板の導光方向に沿って離散的に配置された複数個の傾斜面を有しており、
前記光源からの光は、前記導光板に入射した後に、前記第１主面又は前記第２主面に全反射角を含む角度で入射し、前記傾斜面で透過屈折して、前記第１主面から出射するようになっており、
前記第１主面から出射する光は、前記第１主面の法線に対して、前記光源から遠ざかる方向に４０度以上傾斜した角度範囲に輝度ピークを有していることを特徴とする請求項１〜７のいずれかに記載の携帯型斜め照明装置。
【請求項９】
前記傾斜面の前記第１主面に対する傾斜角度γは２５度〜４０度であることを特徴とする請求項８に記載の携帯型斜め照明装置。
【請求項１０】
前記光源は，複数の発光部を、前記第１主面と前記第２主面とに交差する方向に延在する前記入射面に沿って所定ピッチで配置してなることを特徴とする請求項１〜９のいずれかに記載の携帯型斜め照明装置。
【請求項１１】
前記光源は、前記導光板の前記第１主面と前記第２主面とに交差する方向に延在する１つの側面にのみ対向して配置したことを特徴とする請求項１〜１０のいずれかに記載の携帯型斜め照明装置。
【請求項１２】
前記光路偏向手段は、前記第２主面に離散的に配置され前記入射面に沿って延在する傾斜面であり、前記光源からの光は、前記導光板に入射した後に、前記傾斜面で透過屈折して、前記第１主面から出射するようになっていることを特徴とする請求項１〜７のいずれかに記載の携帯型斜め照明装置。
【請求項１３】
前記光路偏向手段は、前記第２主面に離散的に配置され前記入射面に平行なＶ溝又は台形溝であり、前記入射面側の傾斜面と前記第１主面の法線との成す角度θｖ１は、５０°＜θｖ１＜７５°を満足することを特徴とする請求項１２に記載の携帯型斜め照明装置。
【請求項１４】
前記光路偏向手段は、拡散ドットであり、前記拡散ドットに光が入射したときに、出射光の拡散角度をσ（°）とすると、５°＜σ＜１５°を満足することを特徴とする請求項１〜７のいずれかに記載の携帯型斜め照明装置。
【請求項１５】
前記第１主面と前記第２主面とに交差する端面が、前記光源からの光を入射する入射面であり、前記入射面は第１偏向面と第２偏向面とを有し、前記光源からの光は、前記第１偏向面を透過した後に、前記第２主面に向かうように偏向されて、前記反射面に対して全反射角を含む角度で入射し、一方、前記第２偏向面を透過した後に、前記第１主面に向かうように偏向されて、前記出射面に対して全反射角を含む角度で入射し、その後前記光路偏向手段を透過して前記第１主面より出射することを特徴とする請求項１〜１４のいずれかに記載の携帯型斜め照明装置。
【請求項１６】
前記第１偏向面と前記第２偏向面とは、異なる方向に傾斜した面であることを特徴とする請求項１５に記載の携帯型斜め照明装置。
【請求項１７】
前記第１偏向面又は前記第２偏向面を透過した光は、最初に入射する前記第２主面又は前記第１主面で全反射することを特徴とする請求項１５又は１６に記載の携帯型斜め照明装置。
【請求項１８】
前記導光板の前記第２主面に隣接して反射板を設けたことを特徴とする請求項１〜１７のいずれかに記載の携帯型斜め照明装置。
【請求項１９】
前記導光板の前記第１主面に隣接して拡散板を設けたことを特徴とする請求項１〜１８のいずれかに記載の携帯型斜め照明装置。
【発明の詳細な説明】
【技術分野】
【０００１】
本発明は、照明装置に関し、特に、人物を効率よく照明できる携帯型斜め照明装置に関する。
【背景技術】
【０００２】
一般的に、人は鏡を見ながら化粧をすることが多いが、その際、照明環境によって化粧の仕上がりが大きく違ってくることが経験上知られている。しかるに近年では、喫茶店のテーブル上、或いは出勤途中や洗面所など、場所を問わず化粧をする機会が生じているが、化粧の仕上がりが満足いくようにするためには、所定の照明環境を確保する必要がある。ところが、大型の照明装置を抱えて歩くわけにはいかず、化粧をする者は限られた照明環境下で最善の努力をしているという実情がある。
【０００３】
特許文献１には、財布、ハンドバッグおよび化粧ケース等に収納することができ、携帯に適した携帯型の面状照明装置が開示されている。
【先行技術文献】
【特許文献】
【０００４】
【特許文献１】特開２００７−３３５２２７号公報
【特許文献２】特開平０９−２６２１３４号公報
【発明の概要】
【発明が解決しようとする課題】
【０００５】
しかし、特許文献１の面状照明装置では、高い射出効率で輝度むらのない面状の光を射出する為に、導光板の厚さが光源から離れるにつれて増加するように構成されており、製品の厚さが導光板の厚さに合わせて厚くなっていて、比較的嵩張るものであるから、ハンドバッグ等に入れたときスペースを大きくとるという問題がある。また、面状照明装置からの出射光は全体に広がる構成の為、必要部分以外にも無駄な光が発光されているために、化粧に必要な照度を得ようとすると、電池の減りが早くなるという問題がある。
【０００６】
一方、特許文献２には、鏡の付いた携帯用具の一部に照明装置を取り付けた技術が開示されており、照明装置はスイッチＯＮ、ＯＦＦにより点灯、消灯自在となっている。しかるに、このような従来技術では、鏡の周辺に照明装置を設けたために、鏡を見るユーザーの目に照明光が進入しやすく、まぶしく感じるという問題がある。一方、まぶしさを抑えるために鏡の角度を変えると、照明光が自分の顔以外の場所に当たってしまい、化粧に適切な照明を得られないという問題がある。
【０００７】
本発明は、上記の事情に鑑みてなされたものであって、携帯に便利な薄型でありながら、省エネに優れ、高効率で化粧に適した照明を得ることができる携帯型斜め照明装置を提供することを目的とする。
【課題を解決するための手段】
【０００８】
請求項１に記載の携帯型斜め照明装置は、
演色性Ｒａ８０以上の発光点を複数個有する光源と、
前記光源から出射された光を入射する入射面と、入射した光を出射する第１主面と、前記第１主面に対向し略平行に配置する第２主面と、前記第１主面又は前記第２主面に設けられた光路偏向手段を備えた導光板と、
前記光源と前記導光板とを収容する筐体と、
電池からの電流を前記光源に供給する駆動回路と、を有する携帯型斜め照明装置であって、
前記光源からの光は、前記入射面面から入射した後、前記第１主面と前記第２主面との間を導光し、前記光路偏向手段を介することで、前記第１主面より出射するようになっており、前記第１主面の法線と前記出射光の最大輝度ピーク方向のなす角θmaxが、１５°＜θmax＜６０°を満たすことを特徴とする。
【０００９】
本発明によれば、前記第１主面の法線と前記出射光の最大輝度ピーク方向のなす角θmaxが、１５°＜θmax＜６０°を満たすので、前記第１出射面が上を向くようにして、例えば机上の手元近くに前記携帯型斜め照明装置を置いたときに、前記出射光の最大輝度ピーク方向が、机の前にいるユーザーの顔付近に向くので、顔に影ができにくく、顔全体をしっかり照明することができる。特に、Ｒａ８０以上の高演色光源を用いているので、自然光に近い照明光を出射することができるから、化粧時に前記携帯型斜め照明装置を使用することで、演色性の悪い蛍光灯下でも、自然光に近い状況を実現することができ、化粧の仕上がりを良好なものとできる。更にアイメークやチークなどの色目の強い化粧を施す場合でも、鏡を近づけたままで顔に照明が当たるから、自然光下に近い色の化粧を実現できる。Ｒａ８０以上の演色性は、例えば高演色のＬＥＤを採用するほか、白色ＬＥＤ（Ｒａ７０前後）と赤色ＬＥＤとを混在して用いることなどで実現できる。
【００１０】
尚、前記携帯型斜め照明装置を机上の手元近くに置くことにより、机上で前後に動かすだけで容易に照明箇所の変更もできる。或いは、化粧時に顔に対向するように鏡を持つ場合でも、手元下から照明するため、鏡が邪魔にならないという利点もある。
【００１１】
請求項２に記載の携帯型斜め照明装置は、請求項１に記載の発明において、前記携帯型斜め照明装置は、人物の顔を所定の照度分布で照明可能となっていることを特徴とする。
【００１２】
前記携帯型斜め照明装置を人物の顔専用とすることで、汎用の照明装置に比べ、指向性のある照明を顔の最適箇所へ照明する角度を設定できる。照明範囲を顔周辺に限定したことにより、顔周辺が明るくなり、高演色光源により、自然光に近い照明を顔周辺に実現できる。例えば化粧時の色目に差異がなく、屋外に出た場合でも違和感ない色環境を実現する。尚、「人物の顔を所定の照度分布で照明可能」とは、例えば携帯型斜め照明装置から水平方向に１５ｃｍ、垂直方向に３５〜４５ｃｍ離れた人物の顔を照明する場合、顔における最大照度に対して最小照度が５０％以上であることをいい、この場合の照明光の広がりは４０〜８０度であると好ましく、或いは携帯型斜め照明装置から水平方向に３０ｃｍ、垂直方向に３５〜４５ｃｍ離れた人物の顔を照明する場合、顔における最大照度に対して最小照度が５０％以上であることをいい、この場合の照明光の広がりは３０〜７０度であると好ましい。
【００１３】
請求項３に記載の携帯型斜め照明装置は、請求項１又は２に記載の発明において、前記導光板は長方形状であることを特徴とする。
【００１４】
これによりスリムな形状となるので、ハンドバッグのポケットなどに縦に入れやすく、収納性に優れる。
【００１５】
請求項４に記載の携帯型斜め照明装置は、請求項３に記載の発明において、前記光源は、前記導光板の長辺側に設置されており、前記第１主面から出射する出射光の最大輝度ピーク方向は、前記第１主面の法線に対して短辺の延在する方向に傾いていることを特徴とする。
【００１６】
前記光源が、前記導光板の長辺側に設置されており、前記第１主面から出射する出射光の最大輝度ピーク方向が、前記第１主面の法線に対して短辺の延在する方向に傾いていると、例えば机上で場所をとらず、手元近くに前記携帯型斜め照明装置を置いても、顔全体を適切に照明することができる。
【００１７】
請求項５に記載の携帯型斜め照明装置は、請求項１〜４のいずれかに記載の発明において、前記筐体は、折りたたみ可能な脚部を有することを特徴とする。
【００１８】
前記携帯型斜め照明装置に折りたたみ可能な脚部を設けると、携帯時には折りたたんでおき、机上に載置するときは脚部を立たせることができる。更に、カバンの上など不安定な場所において使用する場合には、一部の脚部のみを立たせることで、脚部を鞄の隙間や端に差し込んだり、掛けることで安定して前記携帯型斜め照明装置を使用することができる。尚、同様な機能を実現できる限り、脚部の形状は問わない。
【００１９】
請求項６に記載の携帯型斜め照明装置は、請求項１〜５のいずれかに記載の発明において、前記筐体に連結した鏡を有することを特徴とする。
【００２０】
前記筐体に鏡を連結することで、鏡を別個に持ち歩く必要がない。本発明の携帯型斜め照明装置は、指向性のある照明光を出射できるので、鏡と筐体が一体となった場合でも、鏡への反射光を少なくでき、ユーザーが感じる眩しさを抑えることができる。例えば化粧時に、筐体に連結された鏡を顔に対向するように近づけた場合でも、第１主面より指向性ある照明光が出射するので、顔全体が照明されるにも関わらず、眩しくないように目に入る光を減光できる。また、鏡と携帯型斜め照明装置の角度を、90°以上とした場合でも、鏡での照明光の反射が少ないから、顔全体を明るく照明していても眩しさが和らぐ。鏡は取り外し可能としてもよい。
【００２１】
請求項７に記載の携帯型斜め照明装置は、請求項１〜６のいずれかに記載の発明において、前記光源の色温度を調整可能となっており、色温度を調整された光が前記光源から発光されることを特徴とする。
【００２２】
前記光源の色温度を変更することで、例えば赤み、黄み、青みの強いもの等、それぞれ照らしたい状態に応じて照明の色（スペクトル分布）が変更でき、色を鮮やかに強調することができる。尚、光源の色温度を調整は、例えば複数色のＬＥＤ（例えば６０００Ｋと３０００ＫのＬＥＤチップ，白色ＬＥＤチップと赤色ＬＥＤチップ）を用いて、電流比を変えることで一方の発光色を強めるもしくは弱めることで実現可能である。
【００２３】
請求項８に記載の携帯型斜め照明装置は、請求項１〜７のいずれかに記載の発明において、前記導光板は屈折率が1.4より大きい媒質の素材から形成され、前記光路偏向手段は、前記導光板の導光方向に沿って離散的に配置された複数個の傾斜面を有しており、
前記光源からの光は、前記導光板に入射した後に、前記第１主面又は前記第２主面に全反射角を含む角度で入射し、前記傾斜面で透過屈折して、前記第１主面から出射するようになっており、
前記第１主面から出射する光は、前記第１主面の法線に対して、前記光源から遠ざかる方向に４０度以上傾斜した角度範囲に輝度ピークを有していることを特徴とする。
【００２４】
前記光路偏向手段として、前記第１主面に、前記導光板の導光方向に沿って離散的に配置された複数個の傾斜面を設けたので、前記第２主面に全反射角を含む角度で入射し更に反射して前記出射面側に向かう光が、これに対向するように傾斜した前記傾斜面に入射したときに、入射角が深くなるからフレネル反射を有効に軽減でき、更に前記傾斜面で屈折して前記第１主面の法線方向から前記光源から遠ざかる方向に４０度以上傾斜した角度範囲に輝度ピークを持つような輝度光を得ることができる。尚、「輝度ピーク」は複数個存在していても良い。
【００２５】
請求項９に記載の携帯型斜め照明装置は、請求項８に記載の発明において、前記傾斜面の前記第１主面に対する傾斜角度γは２５度〜４０度であることを特徴とする。
【００２６】
これにより強度の高い光を、前記第１主面の法線方向から40度以上傾斜した方向に射出することができる。
【００２７】
請求項１０に記載の携帯型斜め照明装置は、請求項１〜９のいずれかに記載の発明において、前記光源は，複数の発光部を、前記第１主面と前記第２主面とに交差する方向に延在する前記入射面に沿って所定ピッチで配置してなることを特徴とする。
【００２８】
複数の発光部を有する光源を用いることで、必要な照度を得ることができる。又、複数の発光部を用いても、前記導光板を透過させることで拡散効果が生じ、均一な照明を実現できる。
【００２９】
請求項１１に記載の携帯型斜め照明装置は、請求項１〜１０のいずれかに記載の発明において、前記光源は、前記導光板の前記第１主面と前記第２主面とに交差する方向に延在する１つの側面にのみ対向して配置したことを特徴とする。
【００３０】
これにより、前記光源の数を減らすことができコストを抑えることができるにもかかわらず、明るい携帯型斜め照明装置を提供できる。
【００３１】
請求項１２に記載の携帯型斜め照明装置は、請求項１〜７のいずれかに記載の発明において、前記光路偏向手段は、前記第２主面に離散的に配置され前記入射面に沿って延在する傾斜面であり、前記光源からの光は、前記導光板に入射した後に、前記傾斜面で透過屈折して、前記第１主面から出射するようになっていることを特徴とする
【００３２】
前記入射面から入射した光が、前記傾斜面で反射して、前記第１主面の法線方向から前記光源から遠ざかる方向に傾斜した角度範囲に輝度ピークを持つような輝度光を得ることができる。これにより薄型の導光板でありながら、指向性を持たせた照明光を効率的に外部に照射することができる。
【００３３】
請求項１３に記載の携帯型斜め照明装置は、請求項１２に記載の発明において、前記光路偏向手段は、前記第２主面に離散的に配置され前記入射面に平行なＶ溝又は台形溝であり、前記入射面側の傾斜面と前記第１主面の法線との成す角度θｖ１は、５０°＜θｖ１＜７５°を満足することを特徴とする。
【００３４】
これにより薄型の導光板でありながら、指向性を持たせた照明光を効率的に外部に照射することができる。
【００３５】
請求項１４に記載の携帯型斜め照明装置は、請求項１〜７のいずれかに記載の発明において、前記光路偏向手段は、拡散ドットであり、前記拡散ドットに光が入射したときに、出射光の拡散角度をσ（°）とすると、５°＜σ＜１５°を満足することを特徴とする。
【００３６】
薄型の導光板に拡散特性を持たせることにより、携帯型斜め照明装置から出射する出射光の照度分布を均一化でき、発光面の輝度ムラを低減することができる。５°＜σ＜１５°を満足する拡散角度σ（°）とすることにより、発光面の輝度ムラを低減しながらも、照明光の指向性を確保することができる。具体的には、σを５°より大きくすることで、発光面の輝度ムラを小さくでき、σを１５°より小さくすることで、照明光の指向性を確保できる。
【００３７】
請求項１５に記載の携帯型斜め照明装置は、請求項１〜１４のいずれかに記載の発明において、前記第１主面と前記第２主面とに交差する端面が、前記光源からの光を入射する入射面であり、前記入射面は第１偏向面と第２偏向面とを有し、前記光源からの光は、前記第１偏向面を透過した後に、前記第２主面に向かうように偏向されて、前記反射面に対して全反射角を含む角度で入射し、一方、前記第２偏向面を透過した後に、前記第１主面に向かうように偏向されて、前記出射面に対して全反射角を含む角度で入射し、その後前記光路偏向手段を透過して前記第１主面より出射することを特徴とする。
【００３８】
前記入射面で光束分割した2光束が各々、全反射して同一方向にて複数の前記傾斜面に導かれるので、傾斜方向が明るく、入射光の損失が少なく、また前記導光板の入射面に対向する面に直接至る光が少なくなって光取り出し効率が高くなる。つまり、前記入射面を構成する前記第１偏向面と前記第２偏向面により光束分割された2つの光束が、前記反射面と前記出射面で全反射して、前記光路偏向手段に導かれるので、前記導光板内における光の往復導光回数を低下させ、これにより前記光源から出射した光がなるべく減衰しない内に前記光路偏向手段に入射することを促し、もって光取り出し効率を高めることができるのである。
【００３９】
請求項１６に記載の携帯型斜め照明装置は、請求項１５に記載の発明において、前記第１偏向面と前記第２偏向面とは、異なる方向に傾斜した面であることを特徴とする。
【００４０】
前記入射面に対向した前記光源から直接入射した光を、異なる方向に傾斜した前記第１偏向面と前記第２偏向面で分割するので、光の損失が少なく、また端面間における光の往復導光回数が減少して光取り出し効率が高くなる。
【００４１】
請求項１７に記載の携帯型斜め照明装置は、請求項１５又は１６に記載の発明において、前記第１偏向面又は前記第２偏向面を透過した光は、最初に入射する前記第１主面又は前記第２主面で全反射することを特徴とする。
【００４２】
前記導光板のエッジなどで生じる回折光を除き、前記第１偏向面又は前記第２偏向面を透過した光が、最初に入射する前記第１主面又は前記第２主面で全反射するように２分割するので、低損失で明るい照明とすることができる。
【００４３】
請求項１８に記載の携帯型斜め照明装置は、請求項１〜１７のいずれかに記載の発明において、前記導光板の前記第２主面に隣接して反射板を設けたことを特徴とする。
【００４４】
前記第２主面から射出した光を前記反射板で反射して、再度前記第２主面から入射して、前記第１主面から出射できるので、出射効率が高い携帯型斜め照明装置を提供できる。
【００４５】
請求項１９に記載の携帯型斜め照明装置は、請求項１〜１８のいずれかに記載の発明において、前記導光板の前記第１主面に隣接して拡散板を設けたことを特徴とする。
【００４６】
前記出射面から出射する光を前記拡散板で透過することにより、射出光を適度に広げて広範囲に照明できると共に、照度ムラを一層低減できる。
【発明の効果】
【００４７】
本発明によれば、携帯に便利な薄型でありながら、省エネに優れ、高効率で化粧に適した照明を得ることができる携帯型斜め照明装置を提供することができる。
【図面の簡単な説明】
【００４８】
【図１】本実施形態に係る携帯型斜め照明装置の概要を示す概略断面図である。
【図２】ＬＥＤ２と、第一実施形態の導光板１の一部のみを取り出して示す説明用の拡大断面図である。
【図３】第一実施形態の携帯型斜め照明装置の照明光強度の角度特性を示す図である。
【図４】変形例にかかる図２と同様な断面図である。
【図５】第一実施形態の携帯型斜め照明装置Ｕの仕様態様を説明するための図である。
【図６】携帯型斜め照明装置Ｕの別な仕様態様を説明するための図である。
【図７】携帯型斜め照明装置Ｕの別な仕様態様を説明するための図である。
【図８】携帯型斜め照明装置Ｕの別な仕様態様を説明するための図である。
【図９】変形例にかかる携帯型斜め照明装置Ｕの斜視図である。
【図１０】携帯型斜め照明装置Ｕの仕様態様を説明するための図である。
【図１１】第二実施形態の携帯型斜め照明装置Ｕの仕様態様を説明するための図である。
【図１２】第二実施形態の携帯型斜め照明装置の照明光強度の角度特性を示す図である。
【図１３】第三実施形態の携帯型斜め照明装置Ｕの仕様態様を説明するための図である。
【図１４】第三実施形態の携帯型斜め照明装置の照明光強度の角度特性を示す図である。
【図１５】第四実施形態の携帯型斜め照明装置Ｕの仕様態様を説明するための図である。
【図１６】第五実施形態の携帯型斜め照明装置Ｕの仕様態様を説明するための図である。
【図１７】第五実施形態の携帯型斜め照明装置Ｕの仕様態様を説明するための拡大図である。
【図１８】第五実施形態で用いる拡散ドットを設けた導光板の斜視図である。
【図１９】第五実施形態の携帯型斜め照明装置の照明光強度の角度特性を示す図である。
【図２０】第五実施形態の携帯型斜め照明装置の照明光において、縦軸に照度比、横軸に位置をとって示す図である。
【発明を実施するための形態】
【００４９】
以下に本発明の実施形態を、図面を参照して説明する。また、同一構成部材については同一の符号を用い、詳細な説明は適宜省略する。
【００５０】
本発明に係る携帯型斜め照明装置は、面発光する照射面を備えた携帯型斜め照明装置Ｕであって、例えば、図１に示すように、面発光する第１主面１１、および、この第１主面に対向して略平行に延在する第２主面１２を備える導光板１と、第１主面１１と第２主面１２とに交差する方向に延在し該導光板１の入射面１３となる一つの側面部（一方の端面）に対向して配設される複数の発光素子２と、を備えて、発光素子２が射出する光を、導光板１内に導光して第１主面１１から射出する照明器具用の携帯型斜め照明装置Ｕである。
【００５１】
導光板１は、紙面に垂直な方向を長手方向とする平板状であって、第１主面１１を露出するようにして、発光素子２と共にケース（筐体）３に一体的に収容されて構成される。ケース３の光源側端には、電池収容部３４が形成されており、その内部に収容されたボタン電池ＢＴは、不図示のリード線によって基板２１に接続されている。
【００５２】
発光素子２は、入射面１３の方向に照明光を射出する光源であればよく、例えば、線状の光源（冷陰極管）や入射面１３の長手方向に間隔をおいて配設する複数の点状光源（ＬＥＤ）を用いることができる。また、低消費電力で発光強度が高く、白色発光するＬＥＤを用いることが好ましい。そのために、本実施形態では白色ＬＥＤを用いることとした。そのために、発光素子２に代えてＬＥＤ２として以後説明する。ＬＥＤ２は、ケース３内に収容される基板２１の長手方向（紙面に垂直な方向）に略等間隔（例えば、約１５ｍｍピッチ）で複数配列されている。
【００５３】
ＬＥＤ２は、白色ＬＥＤであり、青色ＬＥＤと、青色ＬＥＤからの光に励起されて所定波長の励起光を発光する蛍光体（例えば、黄色蛍光体）を組み合わせて白色発光するものである。また、白色ＬＥＤは、赤色ＬＥＤ、青色ＬＥＤ、緑色ＬＥＤを組み合わせた高演色ＬＥＤを用いてもよい。ここではＲａ８０以上の高演色ＬＥＤを用いることにより、高い色再現性の必要な用途に好適な携帯型斜め照明装置を実現することが可能である。
【００５４】
基板２１は、例えば、入射面１３の長手方向の全幅程度の長さとされ、この基板２１に複数のチップ型のＬＥＤ２を所定ピッチで搭載する。このように、基板２１は、長手方向に一体とされるが、複数の基板に分け、それぞれを電気的に接続する構成としてもよい。また、基板２１は、電池収容部３４内のボタン電池ＢＴとリード線により接続され、不図示の駆動回路により、ＬＥＤに流れる電流を調整することで、携帯型斜め照明装置の明るさを調整可能である。ＬＥＤを駆動する回路については、よく知られているので詳細は記載しない。又、手動で明るさを調整するダイヤル等を設けても良い。更に、複数の異なる発光色のＬＥＤを用い、少なくとも一つの色の発光を強めたり弱めたりすることで、ユーザーの好みに従い色温度を調整することができる。
【００５５】
図２は、ＬＥＤ２と、導光板１の一部のみを取り出して示す説明用の拡大断面図である。尚、第１主面の法線方向をｚ軸とし、光源から遠ざかる方向をｘ軸とし、ｚ軸、ｘ軸に直交する方向をｙ軸とする（以下同様）。図２において、入射面１３はＶ字溝状であり、導光板１の厚み方向中央を境界としてＬＥＤ２の外周側に近づくように傾いた第１偏向平面１３ａと第２偏向平面１３ｂとを有する、よって、ＬＥＤ２の上半部から出射された光は、第１偏向平面１３ａで屈折して第２主面１２に向かい、ＬＥＤ２の下半部から出射された光は、第２偏向平面１３ｂで屈折して第１主面１１に向かうようになっている。
【００５６】
ここで、第１偏向平面１３ａと第２偏向平面１３ｂの傾斜角θは20度までが望ましい。20度より大きく傾斜すると、ＬＥＤ２から出射した高強度の光が第１主面１１および第２主面１２で全反射成分とならず、ＬＥＤ２に近い位置で出射するなどして、導光性および光取り出し効率が悪化する。なお、第１偏向平面１３ａと第２偏向平面１３ｂを20度傾斜させることにより、ＬＥＤ２から放射角70度（余弦0.34）で放出される低強度光まで入射し、かつ、入射面１３での入射角50度でフレネル反射は比較的小さくなる。
【００５７】
一方、別な観点から考えると、第１偏向平面１３ａと第２偏向平面１３ｂの傾斜角θはatan（t／（2L））の角度以上が望ましい。ここで、図２を参照して、導光板厚みをt（ｍｍ）とし、入射面１３から導光板１の入射面と反対側の端面までの距離をL（ｍｍ）とする。ｔ＝３，Ｌ＝55の場合、atan（t／（2L））＝1.5度以上に設定することにより、入射面１３と反対側の端面に直接到達する導光光がなくなり、高強度光が光路偏向手段１５に導かれ、極力往路で光取り出しできるので、導光往復による吸収やフレア光などの損失を防ぐことができる。
【００５８】
更に、第１偏向平面１３ａと第２偏向平面１３ｂから入射する全光束（エッジ回折光を除く）が、最初に入射する第１主面１１および第２主面１２に全反射角で入射すると好ましい。導光板１が屈折率1.5の素材から形成されている場合、第１偏向平面１３ａと第２偏向平面１３ｂの傾斜角θ＝6度以下で、屈折した全入射光束が第１主面１１および第２主面１２で全反射することとなる。ただし、前述の通り、第１偏向平面１３ａと第２偏向平面１３ｂは傾斜角θ＝1.5度以上で傾斜することが望ましい。本実施の形態では、第１偏向平面１３ａと第２偏向平面１３ｂを、それぞれ１０度ずつ傾けている。
【００５９】
ＬＥＤ２から出射された光は入射面１３から入射し、導光板１内を導光される。すなわち、導光板１の下面（第１主面１１）と上面（第２主面）との間で光は全反射されながら導光され、第１主面１１に設けられた光路偏向手段１５に入射して全反射角から外れた光が、光路偏向手段１５を透過して第１主面１１から出射されて面発光する構成とされる。
【００６０】
より具体的には、第１主面１１に光路偏向手段１５を設け、この光路偏向手段１５を介して、第１主面１１の垂線方向から所定角度偏向させて照明光を照射するようにしている。図２を参照して、第１主面１１の垂線と、出射光の最大強度方向のなす角度θは、４０度以上であることが好ましい。
【００６１】
図２に示す光路偏向手段１５は、第１主面１１に設けた紙面垂直方向に延在する複数のＶ溝を採用している。また、光路偏向手段１５を構成するＶ溝は、光源側の第１斜面Ｖ１Ａ（反射面側から出射面側に向かうに連れて光源側にシフトするように傾斜した傾斜面）と該第１斜面Ｖ１Ａと共に前記Ｖ溝を形成する第２斜面Ｖ２Ａとを有しており、この第１斜面Ｖ１Ａと第１主面１１との傾斜角度γ（ここでは３０度）を変えることで、第１主面１１の垂線方向から所定角度θ偏向する照明光の最大ピーク強度光の方向を調整することができる。
【００６２】
ここで、導光板１は、屈折率が約１．４以上であり可視光を透過する透明な材料（例えば、屈折率が約１．５のＰＭＭＡ：アクリル）からなり、Ｖ溝状の光路偏向手段１５を追加工して形成することも、一体的に成形することもできる。また、この導光板１は、用途に応じて、ガラス材料、ＰＭＭＡ以外のアクリル、ポリカーボネートや、可塑性を有するシリコン樹脂シートなどでもよい。
【００６３】
光路偏向手段１５を構成するＶ溝は、入射面１３から所定距離内には設けない。例えば、光源から近い非配置領域Ｌｂ（図１参照：約５ｍｍ）にはＶ溝を設けず、それより光源から遠い配置領域のみにＶ溝を設ける。入射面近傍にＶ溝を設けると、点状光源であるＬＥＤ２が離散的に配置されているので、入射光が混ざり合う前に反射されてしまい、携帯型斜め照明装置の入射面近傍に輝線が生じて輝度分布にムラができる。そこで、非配置領域を設けて、入射光同士が重なり合った後で光路を偏向するようにしている。
【００６４】
導光板１を成形する金型の転写面に粗面加工を施すことで、第１斜面Ｖ１Ａを粗し面又は異方性拡散面として、拡散手段として拡散効果を持たせることができる。
【００６５】
ＬＥＤ２から出射された光束は、第１主面１１と第２主面１２との間を全反射しながら導光され、光路偏向手段１５により屈折された光束が、第１主面１１から照明光として射出されるが、第２主面１２の外側に反射板４を配置することで、光路偏向手段１５に反射した後、第２主面１２の外側に漏れ出した光を反射して再び導光板１内に戻すことができ、第１主面１１から射出する照明光の強度を大きくすることができ、高効率の携帯型斜め照明装置Ｕを実現することができる。
【００６６】
反射板４は、その内面にミラー処理やミラーフィルムを貼付した樹脂板や、白色塗装の白色反射処理やミラー処理を施した反射面を有するアルミ板金などを用いることができる。また、導光板１を収容するケース３の内面を、例えば、アルミ製板金に白色塗装の白色反射処理やミラー処理を施した反射面として形成してもよく、反射フィルム（例えば、きもと社製のレフホワイト）を用いる構成としてもよい。
【００６７】
また、導光板１の上側には、空気層（例えば、０．５ｍｍ程度）を介して拡散板５が配設される。拡散板５を配設することにより、携帯型斜め照明装置Ｕの射出面における照度ムラ、輝度ムラを低減することができる。特に、Ｖ溝特有のギラツキ感を抑制し、目に優しい高品位な携帯型斜め照明装置を実現できる。
【００６８】
また、第１主面１１の外側に拡散板５を配置した構成であれば、光路偏向手段１５が離散的に配置される複数のＶ溝から構成されていても、射出面（第１主面１１）における照明光の照度ムラ（輝度ムラ）を低減して、均一で目に優しい高品位な携帯型斜め照明装置Ｕを実現することが可能である。拡散板５は透光性を有する従来公知の樹脂拡散板や樹脂拡散フィルムを用いることができる。拡散板のヘイズ値は６５％である。尚、ヘイズ値とは、Ｔｄ／Ｔｔ×１００（％）で得られる値である。但し、Ｔｄ：拡散透過率、Ｔｔ：全光線透過率である。
【００６９】
本実施の形態では、第１主面１１と第２主面１２とで全反射しながら導光する（屈折率1.5、反射角42度〜83度の導光光）ので、損失を低く抑えることができる。又、反射角83度から90度の導光光は、入射面により屈折した光源周辺光や入射面エッジによる回折光なので低強度となる。更に、反射角38度から42度で全反射しない導光光は、光源から周辺に出射される低強度の光であり、更に入射面でフレネル反射するため低強度である。つまり、高強度の光を全反射で導光するので高効率である。
【００７０】
また、図３に、この第一実施形態の携帯型斜め照明装置Ｕの照明光強度の角度特性を示す。図中に示すｘｚ断面は、図１に示す携帯型斜め照明装置Ｕの中心を通る紙面に平行な面、すなわち、射出面からユーザーの顔に至る照明空間の上下の面に相当し、図中に示すｙｚ断面は、携帯型斜め照明装置Ｕの幅（紙面に垂直な方向）に平行な面に相当する。
【００７１】
図３に示す照明光強度の角度特性はシミュレーションによる計算結果であるが、導光板１の第１主面１１に所定形状のＶ溝からなる光路偏向手段１５を設けることで、ｘｚ断面の照明光強度ＲＡに示すように、携帯型斜め照明装置Ｕの垂線方向から図中の右側方向に、すなわち、ユーザー側に所定角度傾いた照明光分布を示す。また、ｙｚ断面の照明光強度ＲＢに示すようにｙｚ断面方向には、略一様に変化する照明光分布であることが判る。
【００７２】
この場合、傾斜した第１傾斜面Ｖ１Ａで屈折して出射する高強度の射出光は、空気中入射角23度であり、フレネル反射が小さいため光取り出し効率が高い。又、発光面に平行な物体を照明すると、発光面余弦成分の影響により、第１主面１１の法線に対して光源から遠ざかる方向に、53度方向に強度ピークを持つ高輝度射出光の存在により、照射される物体側で約40度以上の方向に高照度を得ることができる。尚、照明光強度ＲＡにおいて、20度付近の強度ピークは、傾斜した第１傾斜面Ｖ１Ａで反射したのち、第２主面１２の裏面に配置したケース３の拡散反射面で折り返し反射され、射出面を透過した射出光である。
【００７３】
図４は、変形例にかかる導光板１Ａを、ＬＥＤ２と共に示す断面図である。本変形例では、光路偏向手段としての凸部１５’を第１主面１１に突出して形成している。凸部１５’は、光源側の斜面Ｓ１と逆側の斜面（傾斜面）Ｓ２とからなる。斜面Ｓ２の傾斜角γは３０度である。それ以外の構成は、上述した実施の形態と同様である。このような凸部１５’は、金型に凹部を形成すれば転写できるので製造が容易で低コストを実現できる。
【００７４】
図４において、ＬＥＤ２の下半部から出射された光は、第１偏向平面１３ａで屈折して第２主面１２に向かい、ＬＥＤ２の上半部から出射された光は、第２偏向平面１３ｂで屈折して第１主面１１に向かうようにして、導光板１内を導光した後、斜面Ｓ２に入射することにより反射拡散され、全反射角から外れた光束が、第１主面１１から照明光として射出される。このとき、第２主面１２で反射した光は、斜面Ｓ１に沿った方向に進行するので影になりにくく、光の取り出し効率を高めることができる。本変形例では、第１主面１１の法線に対して光源から遠ざかる方向にθ＝53度の角度で強度ピークを持つ高輝度光を出射できる。
【００７５】
この第一実施形態の携帯型斜め照明装置Ｕは、携帯用の照明器具に好適に適用することができる。そのために、この第一実施形態の携帯型斜め照明装置Ｕの仕様態様を、図５を用いて説明する。
【００７６】
図５において、ユーザーＵＳの手元の机ＤＫ上に、携帯型斜め照明装置Ｕが第１主面側を上にして載置されている。上述したように、携帯型斜め照明装置Ｕからは、第１主面の法線と出射光の最大輝度ピーク方向のなす角θmaxが、１５°＜θmax＜６０°を満たすようにして光が出射されるので、ユーザーＵＳの顔ＵＦが明るく照明され、ユーザーＵＳは手に持った鏡ＭＲを見ながら、化粧を行うことができる。本実施の形態の携帯型斜め照明装置Ｕは、指向性のある面発光照明により、机上に上向きに照明を置いても眩しくない。その為、化粧時に顔ＵＦと対向するように鏡ＭＲを持った場合でも、斜め下側から照明される為、鏡ＭＲが照明の邪魔にならず、また顔ＵＦに影が出来ず、顔ＵＦ全体を照明することができる。ユーザーＵＳは、机上で矢印方向に携帯型斜め照明装置Ｕを適宜移動させることで、顔ＵＦへの照明の当たり具合を調整できる。
【００７７】
本発明者らが行った検討結果を以下に示す。図５を参照して、携帯型斜め照明装置Ｕから水平方向にＬｃｍ、垂直方向にＨｃｍ離れた人物ＵＳの顔ＵＦを、広がり角Ａ度の照明光で照明したものとする。ここで、顔ＵＦにおける最大照度に対して最小照度が５０％以上であるために必要な条件を表１にまとめた。
【００７８】
【表１】
2014120378.tif 000003
【００７９】
すなわち、携帯型斜め照明装置ＵをユーザーＵＳから近い位置に配置する場合など、Ｌ＝１５ｃｍ、Ｈ＝３５〜４５ｃｍとしたときは、そのときの広がり角Ａ＝４０〜８０度とすることで、顔ＵＦにおける最大照度に対して最小照度が５０％以上となるようにできる。
【００８０】
一方、携帯型斜め照明装置ＵをユーザーＵＳから遠ざけた位置に配置する場合など、Ｌ＝３０ｃｍ、Ｈ＝３５〜４５ｃｍとしたときは、そのときの広がり角Ａ＝３０〜７０度とすることで、顔ＵＦにおける最大照度に対して最小照度が５０％以上となるようにできる。
【００８１】
図６は、携帯型斜め照明装置Ｕの別な使用形態を示す図であって、机ＤＫ上においた携帯型斜め照明装置Ｕより奥側に鏡ＭＲをおいた状態を示す。このように、鏡ＭＲを携帯型斜め照明装置Ｕの奥側に置いた場合でも、鏡ＭＲに入射する光が少ないから、その反射光がユーザーＵＳの目に入り込むことが抑制され、眩しさが緩和される。又、上述した使用形態と同様に、斜め下側の携帯型斜め照明装置Ｕから照明される為、顔ＵＦに影が出来ず、顔ＵＦ全体を照明することができる。
【００８２】
図７は、携帯型斜め照明装置Ｕの別な実施形態を示す図であり、図８は、その携帯型斜め照明装置Ｕの使用形態を示す図である。図７に示すように、携帯型斜め照明装置Ｕは鏡ＭＲと不図示の蝶番により枢動可能に連結されている。このように携帯型斜め照明装置Ｕと鏡ＭＲを一体化することで、鏡ＭＲを別に持ち歩く必要がなく、コンパクトで携帯性が非常に良い化粧道具を実現できる。携帯時には、携帯型斜め照明装置Ｕと鏡ＭＲを合わせることでコンパクトになり、使用時には図８に示すように、携帯型斜め照明装置Ｕと鏡ＭＲを開いておおよそ１００度にセットし、携帯型斜め照明装置Ｕを発光させて鏡ＭＲを見ながらユーザーＵＳは化粧を行うことができる。鏡ＭＲと携帯型斜め照明装置Ｕの角度が90°以上になっても、指向性のある面発光照明の為、鏡ＭＲへの反射光が少なく、照明光が目に入っても眩しくない。また、鏡ＭＲは携帯型斜め照明装置Ｕの蓋として、発光面のキズ防止の機能も備える。尚、鏡ＭＲを取り外し可能とすれば、別途使用が可能である。
【００８３】
図９は、携帯型斜め照明装置Ｕの別な実施形態を示す図であり、図１０は、その携帯型斜め照明装置Ｕの使用形態を示す図である。図９（ａ）に示すように、携帯型斜め照明装置Ｕは、ケース３の裏面に不図示の蝶番を用いて折りたたみ可能とされた板状の脚部３１を一対設けている。机上において使用する場合、脚部３１を立てて机上面に設置する。携帯する場合には、脚部３１を折りたたむことで、コンパクト性が確保される。一方、外出先で使用する場合、図１０に示すように、片側の脚部３１のみを立てた状態で、膝においたバッグＢＧのくぼみ等に引っかけることで、安定した照明を行うことができる。尚、同様な機能を実現できる限り、脚部３１の形状は問わない。
【００８４】
尚、図９（ｂ）に示すように、ケース３の角部に、棒状の脚部３２を４本折りたたみ可能に設けても良いし、図９（ｃ）に示すように、ケース３の一部に突起３３を設けて、同様にバッグＢＧのくぼみ等に引っかけることで、安定した照明を行うことができる。
【００８５】
次に、携帯型斜め照明装置の第二実施形態について図１１〜図１２を用いて説明する。この第二実施形態の携帯型斜め照明装置は、前述した第一実施形態の携帯型斜め照明装置Ｕの導光板１を導光板１Ｂに替えた点が異なり、その他の構成は同じである。そのために、図１１には、携帯型斜め照明装置の要部構成として導光板１Ｂのみを表示する。
【００８６】
図１１においては、第１斜面Ｖ１Ａの傾き角γ＝５０度である。それ以外の構成は、図２に示す構成と同様である。図１２に示す照明光強度の角度特性によれば、第１主面１１の法線に対して光源から遠ざかる方向にθ＝５５度の角度で強度ピークを持つ高輝度光を出射できる。射出強度が高い光は空気中入射角で5度であり、フレネル反射が小さいので高効率である。第１主面１１の直上0度付近のピークは、第１斜面Ｖ１Ａで反射したのち第２主面１２から出射し、その裏面に配置した拡散反射面で折り返し反射され、第１主面１１を透過した射出光である。
【００８７】
このように、第１主面１１と第１斜面Ｖ１Ａをつなぐ第２斜面Ｖ２Ａの角度を、出射方向から逃がす方向に傾斜することで、指向性を向上させることができる。又、第１主面１１の上方に拡散板（ヘイズ率65％）を配置した場合でも、低拡散度の拡散板なので指向性を阻害する恐れは少ない。
【００８８】
次に、第三実施形態について図１３〜図１４を用いて説明する。この第三実施形態の携帯型斜め照明装置は、前述した第一実施形態の携帯型斜め照明装置Ｕの導光板１を導光板１Ｃに替えた点が異なり、その他の構成は同じである。そのために、図１３には、携帯型斜め照明装置の要部構成として導光板１Ｃのみを表示する。
【００８９】
図１３においては、第１斜面Ｖ１Ａの傾き角γ＝６０度である。また、入射面１３を平面としている。それ以外の構成は、図２に示す構成と同様である。入射面１３を平面にした場合、全反射光の高強度光束の向きが10度近く第１主面１１に平行な方向となる。これに合せて傾斜面を60度とすることによって高効率に光取り出しが可能となる。
【００９０】
図１４に示す照明光強度の角度特性によれば、第１主面１１の法線に対して光源から遠ざかる方向にθ＝５６度の角度で強度ピークを持つ高輝度光を出射できる。射出強度が高い光は空気中入射角で４度であり、フレネル反射が小さいので高効率である。本実施形態では、第１主面１１の法線に対して、光源に近づく側に約２０度の角度で強度ピークが生じるが、これは傾斜角度60度で傾斜した第１斜面Ｖ１Ａで反射したのち第２主面１２から出射し、その裏面に配置した拡散反射面で折り返し反射され、第１主面１１を透過した射出光である。つまり、第１斜面Ｖ１Ａを、60度より大きな傾斜角とすると効率が悪くなることがわかる。尚、第１主面１１の上方に拡散板（ヘイズ率65％）を配置した場合、低拡散度の拡散板なので指向性を阻害する恐れは少ない。
【００９１】
次に、第四実施形態について図１５を用いて説明する。この第四実施形態の携帯型斜め照明装置は、前述した第一実施形態の携帯型斜め照明装置Ｕの導光板１を導光板１Ｄに替えた点が異なり、その他の構成は同じである。そのために、図１５には、携帯型斜め照明装置の要部構成として導光板１Ｄのみを表示する。
【００９２】
本実施形態において、傾斜面Ｖ１Ａ，Ｖ２ＡからなるＶ溝を離散的に配置した光路偏向手段１５は、第２主面１２に設けられており、面発光する際に、導光板１の照明光を射出する主面（第１主面１１）の向かう垂線方向とは異なる傾斜した方向に強い光を照射可能である。第２主面１２側の傾斜面Ｖ１Ａと第１主面１１（又は第２主面１２）の法線との成す角度θｖ１は、５０°＜θｖ１＜７５°を満足する。
【００９３】
より具体的には、第２主面１２に光路偏向手段１５を設け、この光路偏向手段１５を介して、第１主面１１の垂線方向から所定角度偏向させて照明光を照射するようにしている。図１５を参照して、第１主面１１の垂線と、出射光の最大強度ピーク方向のなす角度θMAXは、後述するように、１５°＜θMAX＜６０°を満たすことが好ましい。
【００９４】
図１５に示す光路偏向手段１５は、第２主面１２に設けた紙面垂直方向に延在する複数のＶ溝を採用している。この構成であれば、光路偏向手段１５を、射出面に対向する反対側の第２主面１２に設けるので、照度分布の均一化を図ることができ、射出面位置での照度分布をより均一にできる。
【００９５】
また、光路偏向手段１５を構成するＶ溝は、入射面側の第１斜面Ｖ１Ａ（傾斜面）と該第１斜面Ｖ１Ａと共に前記Ｖ溝を形成する第２斜面（つなぎ面）Ｖ２Ａとを有しており、この第１斜面Ｖ１Ａと第２斜面Ｖ２Ａとの傾斜角度を変えることで、第１主面１１の垂線方向から所定角度θMAX偏向する照明光の最大ピーク強度光の方向を調整することができる。
【００９６】
ＬＥＤ２から出射された光は入射面１３から入射し、導光板１内を導光される。すなわち、導光板１の上面（第１主面１１）と下面（第２主面１２）との間で光は全反射されながら導光され、光路偏向手段１５の第１斜面Ｖ１Ａに入射して反射し、全反射条件から外れた光が第１主面１１から出射されて面発光する構成となっている。
【００９７】
次に、第五実施形態について図１６〜２０を用いて説明する。導光板に設ける光路偏向手段としては、Ｖ溝以外に、拡散ドットを用いて形成することも可能である。そのために、Ｖ溝の代わりに拡散ドットＤＴ１を光路偏向手段として第２主面１２に形成した本実施形態について説明する。
【００９８】
この実施形態も、前述した第一実施形態の携帯型斜め照明装置Ｕの導光板１を、拡散ドットを備える導光板１Ｅに替えた点が異なるだけである（図１６）。拡散ドットＤＴ１は、拡散インクを点状に塗布したものである。図１７に、本実施形態にかかる携帯型斜め照明装置Ｕの要部構成として、導光板１Ｅおよび拡散板５のみを表示する。
【００９９】
図１８に示すように、導光板１Ｅは、第２主面１２に拡散ドットＤＴ１をドット密度が入射面側から徐々に大きくなるように所定ピッチで複数配置している。この拡散ドットＤＴ１は、直径０．４ｍｍで所定の拡散特性、例えば、拡散角αが、５°＜σ＜１５°を満たすように形成されている。また、拡散板５は、所定の拡散特性、例えば、拡散角βが、２０°＜β＜４０°を満たすものである。
【０１００】
ここで、拡散角αが大きくなって完全拡散に近づくと、拡散ドットにおける拡散光の分布はランバーシアン型となり、携帯型斜め照明装置Ｕから射出される照明光も略ランバーシアン型の特徴を有する同様に、拡散板の拡散角βが大きくなって完全拡散に近づくと、拡散ドットＤＴ１における拡散光の分布はランバーシアン型となり、携帯型斜め照明装置Ｕから射出される照明光も略ランバーシアン型の特徴を有する。すなわち、第１主面１１の法線に対する傾き角θ１Ｂ＝θ２Ｂ＝４５°のＶ溝を有する導光板と略同等の照明光強度特性を発揮して、θＭＡＸ＝０°となり、ｘ軸、ｙ軸に対して略対称な照度分布を持つ。
【０１０１】
一方、拡散角α＜１５°、β＜４０°とすると、拡散ドットＤＴ１で拡散反射（又は屈折）し、拡散板で拡散された照明光は、拡散ドットＤＴ１で拡散される前の指向性を保存している。すなわち、光の進行方向に向けて所定角度傾斜した方向に最大強度を発揮する照明光を射出することができる。従って、図１６に示す本実施の形態によれば、ＬＥＤ２から出射して、導光板１の入射面１３から入射した光は、全反射しながら導光板１内を導光し、拡散ドットＤＴ１に入射することで、指向性を与えられ、第１主面１１から出射する際に、傾いた方向（ユーザー側）に進行することとなる。
【０１０２】
図１９に、拡散ドットＤＴ１（α＝10°）を形成した導光板１Ｅと拡散板（β＝30°）を備えた携帯型斜め照明装置の照明光強度の角度特性を示し、図２０に、被照射面（ここでは第１主面に平行な面）の照度比を示す。この構成では、θＭＡＸ＝２０°程度であり、ｘ軸の正領域（ユーザー側）をより効率的に照明していることが判る。図１９によれば、ｘｚ断面の照明光強度ＲＡに示すように、携帯型斜め照明装置Ｕの垂線方向から図中の右側方向に、すなわち、ユーザー側に所定角度傾いた照明光分布を示す。また、ｙｚ断面の照明光強度ＲＢに示すようにｙｚ断面方向には、略一様に変化する照明光分布であることが判る。
【０１０３】
５°＜σ＜１５°を満たす拡散角σを与える構成は、例えば、第２主面１２にドット状の粗面を一体成形して設けることができる。この粗面の面粗さを調整して所定の拡散角αを得ることが可能である。この構成であれば、拡散角σが所定範囲に制限されているために、第１主面から射出される照明光は、第１主面の垂直方向から所定角度外れた傾いた方向に最大強度を有する照明光となる。
【０１０４】
光路偏向手段として拡散ドットを用いる場合、拡散ドットに入射した光束は、拡散されたのち全反射条件から外れた光線のみが、導光板外へ射出される。全反射条件を保存される光線は、光路偏向されたのちさらに導光板内を導光する。従って、光束の少なくとも一部は、導光板の入射面に対向する端面に到達する。対向端面に到達した光は、端面または、端面の外側に設けられる筺体で反射して導光板内に再入射し、導光板内を光源側へと導光し、θ＜0°の方向に射出する。本実施形態では、θ＜0°に射出する照明光の発生を抑えるために、入射面の対向端面は吸収面としている。
【産業上の利用可能性】
【０１０５】
本発明は、明細書に記載の実施例に限定されるものではなく、他の実施例・変形例を含むことは、本明細書に記載された実施例や思想から本分野の当業者にとって明らかである。例えば光路偏向手段としてＶ溝の代わりに台形溝を設けても良い。
【符号の説明】
【０１０６】
１〜１Ｅ    導光板
２    発光素子（ＬＥＤ）
３    ケース
４    反射板
５    拡散板
１１    第１主面
１２    第２主面
１３    入射面
１４    端面
１５、１５’    光路偏向手段
２１    基板
３１、３２    脚部
３３    突起
３４    電池ケース
Ｖ１Ａ    第１傾斜面
Ｖ２Ａ    第２傾斜面
ＤＴ１    拡散ドット
Ｕ    携帯型斜め照明装置
ＢＴ    電池
【図１】
2014120378.tif 000004
【図２】
2014120378.tif 000005
【図３】
2014120378.tif 000006
【図４】
2014120378.tif 000007
【図５】
2014120378.tif 000008
【図６】
2014120378.tif 000009
【図７】
2014120378.tif 000010
【図８】
2014120378.tif 000011
【図９】
2014120378.tif 000012
【図１０】
2014120378.tif 000013
【図１１】
2014120378.tif 000014
【図１２】
2014120378.tif 000015
【図１３】
2014120378.tif 000016
【図１４】
2014120378.tif 000017
【図１５】
2014120378.tif 000018
【図１６】
2014120378.tif 000019
【図１７】
2014120378.tif 000020
【図１８】
2014120378.tif 000021
【図１９】
2014120378.tif 000022
【図２０】
2014120378.tif 000023